【手続補正書】
【提出日】平成20年9月22日(2008.9.22)
【手続補正１】
【補正対象書類名】明細書
【補正対象項目名】発明の名称
【補正方法】変更
【補正の内容】
【発明の名称】不整脈分類システム
【手続補正２】
【補正対象書類名】特許請求の範囲
【補正対象項目名】全文
【補正方法】変更
【補正の内容】
【特許請求の範囲】
【請求項１】
心臓の不整脈エピソードと関連する心臓拍動信号を検出するように構成されている、心臓へ電気的に結合するように構成された電極を含むセンサシステムと、
前記心臓拍動信号の形態を各々が複数のタイプの不整脈と関連付けられた複数の代表的な拍動形態と比較し、前記心臓拍動信号の形態が特定タイプの不整脈の代表的な拍動形態と一致する場合は前記不整脈エピソードを特定タイプの不整脈として分類するように構成され、前記心臓拍動信号の形態が前記複数の代表的な拍動形態のいずれとも一致しない場合は前記不整脈エピソードを未知のタイプの不整脈として分類するように構成されている、前記センサシステムに結合された不整脈分類プロセッサと
を含む心臓不整脈分類システム。
【請求項２】
心臓の不整脈エピソードと関連する心臓拍動信号を検出するように構成されている、心臓へ電気的に結合するように構成された電極を含むセンサシステムと、
前記心臓拍動信号を各々が複数のタイプの不整脈と関連付けられた複数のテンプレートと比較し、前記心臓拍動信号が特定タイプの不整脈と関連付けられた特定のテンプレートに対応する場合は前記不整脈エピソードを特定タイプの不整脈として分類するように構成されており、さらに、前記心臓拍動信号が前記複数のテンプレートのいずれのテンプレートとも対応しない場合で且つ前記心臓拍動信号を特性付けるテンプレートを取得できる場合は、前記不整脈エピソードが新規タイプの不整脈として特性付け可能であることを決定するように構成されている、前記センサシステムに結合された不整脈分類プロセッサと
を含む心臓不整脈分類システム。
【請求項３】
心臓の不整脈エピソードと関連する心臓拍動信号を検出するように構成されている、心臓へ電気的に結合するように構成された電極を含むセンサシステムと、
前記心臓拍動信号の形態を各々が複数のタイプの不整脈と関連付けられた複数の代表的な拍動形態と比較し、前記心臓拍動信号の形態が特定タイプの不整脈の代表的な拍動形態と一致する場合は前記不整脈エピソードを特定タイプの不整脈として分類するように構成され、前記複数の代表的な拍動形態のうちの１つまたは複数が少なくとも一部はユーザ入力に基づいて決定される、前記センサシステムに結合された不整脈分類プロセッサと
を含む心臓不整脈分類システム。
【請求項４】
心臓の不整脈エピソードと関連する心臓拍動信号を検出するように構成されている、心臓へ電気的に結合するように構成された電極を含むセンサシステムと、
前記心臓拍動信号を各々が複数のタイプの不整脈と関連付けられた複数のテンプレートとテンプレートの選択された順序に従って比較し、前記心臓拍動信号が特定タイプの不整脈と関連付けられた特定のテンプレートに対応する場合は前記不整脈エピソードを特定タイプの不整脈として分類するように構成され、前記テンプレートの選択された順序が、以前の不整脈エピソードを同定する際のテンプレートの成功に基づいている、前記センサシステムに結合された不整脈分類プロセッサと
を含む心臓不整脈分類システム。
【請求項５】
心臓の不整脈エピソードと関連する心臓拍動信号を検出するように構成されている、心臓へ電気的に結合するように構成された電極を含むセンサシステムと、
前記心臓拍動信号の形態を各々が複数のタイプの不整脈と関連付けられた複数の代表的な拍動形態と比較し、前記心臓拍動信号の形態が特定タイプの不整脈の代表的な拍動形態と一致する場合は前記不整脈エピソードを特定タイプの不整脈として分類するように構成され、１セットの不整脈識別パラメータを特定タイプの不整脈と関連付け、特定タイプの不整脈と関連付けられた不整脈識別パラメータのセットを用いて前記心臓拍動信号の形態を前記代表的な拍動形態と比較するように構成されている、前記センサシステムに結合された不整脈分類プロセッサと
を含む心臓不整脈分類システム。
【請求項６】
心臓の不整脈エピソードと関連する心臓拍動信号を検出するように構成されている、心臓へ電気的に結合するように構成された電極を含むセンサシステムと、
前記心臓拍動信号の形態を各々が複数のタイプの不整脈と関連付けられた複数の代表的な拍動形態と比較し、前記心臓拍動信号の形態が特定タイプの不整脈の代表的な拍動形態と一致する場合は前記不整脈エピソードを特定タイプの不整脈として分類し、前記心臓拍動信号の形態が前記複数の代表的な拍動形態のいずれの形態とも対応しない場合で且つ新規タイプの不整脈と関連付けられた新規の代表的な拍動形態が取得できる場合は、前記不整脈エピソードを前記新規タイプの不整脈として分類するように構成されている、前記センサシステムへ結合された不整脈分類プロセッサと、および
１つまたは複数の心臓療法を各々１つまたは複数のタイプの不整脈と関連付け、前記不整脈エピソードが前記特定タイプの不整脈であると分類される場合は前記特定タイプの不整脈と関連付けられた１つまたは複数の特定療法を送達し、前記不整脈エピソードが前記新規タイプの不整脈であると分類される場合は前記新規タイプの不整脈を終結させるため１つまたは複数の選択された療法を送達するように構成されている、前記不整脈分類プロセッサに結合された療法プロセッサと
を含む心臓不整脈分類システム。
【請求項７】
心臓の不整脈エピソードと関連する心臓拍動信号を検出するように構成されている、心臓へ電気的に結合するように構成された電極を含むセンサシステムと、
前記心臓拍動信号の形態を各々が複数のタイプの不整脈と関連付けられた複数の代表的な拍動形態と比較し、前記心臓拍動信号の形態が特定タイプの不整脈の代表的な拍動形態と一致する場合は前記不整脈エピソードを特定タイプの不整脈として分類し、前記不整脈エピソードのための代表的な拍動形態を取得できない場合は前記不整脈エピソードを特性付け不可能な不整脈として分類するように構成されている、前記センサシステムへ結合された不整脈分類プロセッサと、および
前記特性付け不可能な不整脈を終結するため１つまたは複数の選択された心臓療法を送達し、前記１つまたは複数の選択された療法のうちの特定の１つが成功したかを決定し、成功した療法を前記特性付け不可能な不整脈と関連付けるように構成されている、前記不整脈分類プロセッサに結合された療法プロセッサと
を含む心臓不整脈分類システム。
【請求項８】
心臓の不整脈エピソードと関連する心臓拍動信号を検出するように構成されている、心臓へ電気的に結合するように構成された電極を含むセンサシステムと、
前記心臓拍動信号の形態を各々が複数のタイプの不整脈と関連付けられた複数の代表的な拍動形態と比較し、前記心臓拍動信号の形態が特定タイプの不整脈の代表的な拍動形態と一致する場合は前記不整脈エピソードを特定タイプの不整脈として分類し、前記心臓拍動信号の形態が前記複数の代表的な拍動形態と一致しない場合は前記不整脈エピソードを未知のタイプの不整脈として分類するように構成されている、前記センサシステムへ結合された不整脈分類プロセッサと、および
１つまたは複数の心臓療法を各々１つまたは複数のタイプの不整脈と関連付け、前記心臓拍動信号が前記特定タイプの不整脈であると特性付けられる場合は前記特定タイプの不整脈と関連付けられた１つまたは複数の特定療法を送達し、前記不整脈エピソードが前記未知のタイプの不整脈として分類される場合は前記未知のタイプの不整脈を治療するため１つまたは複数の選択された療法を送達するように構成されている、前記不整脈分類プロセッサに結合された療法プロセッサと
を含む心臓不整脈分類システム。
【請求項９】
心臓の不整脈エピソードと関連する心臓拍動信号を検出するように構成されている、心臓へ電気的に結合するように構成された電極を含むセンサシステムと、
前記心臓拍動信号の形態を各々が複数のタイプの不整脈と関連付けられた複数の代表的な拍動形態と比較し、前記心臓拍動信号の形態が特定タイプの不整脈の代表的な拍動形態と一致する場合は前記不整脈エピソードを特定タイプの不整脈として分類し、前記特定タイプの不整脈が持続性もしくは非持続性不整脈であるかを決定するように構成されている、前記センサシステムへ結合された不整脈分類プロセッサと、および
１つまたは複数の心臓療法を各々１つまたは複数のタイプの不整脈と関連付け、前記不整脈エピソードが前記特定タイプの不整脈であると分類された場合は前記特定タイプの不整脈と関連付けられた１つまたは複数の特定療法を送達し、前記不整脈の特定のタイプが１つまたは複数の以前の不整脈エピソード中に持続性不整脈であると決定された場合は前記特定タイプの不整脈と関連付けられた前記一つまたは複数の特定療法を送達するように構成されている、前記不整脈分類プロセッサに結合された療法プロセッサと
を含む心臓不整脈分類システム。